(57)【要約】【課題】ドロワ側の記憶媒体を精度よく、かつ容易に、画像形成装置本体の制御部と電気的に接続することが可能な、画像形成装置を提供する。【解決手段】画像形成装置本体は、筐体と、制御部と、本体側コネクタ６５とを有する。本体側コネクタ６５は、本体側電気的接触部６５１と、ホルダ６５２とを有する。筐体は、ドロワを筐体に対して挿入方向に移動して収納可能な内部空間を含む。本体側電気的接触部６５１は、ドロワが筐体に挿入された際に、ドロワ側電気的接触部１６１と接触する。ホルダ６５２は、本体側電気的接触部６５１を、ドロワ側コネクタ１６のホルダ６５２が有する弾性部材の伸縮方向に交差する交差方向に移動可能に保持する。画像形成装置１００において、ホルダ６５２がドロワ側コネクタ１６のソケット１６２に接触した場合に、その一部が本体側電気的接触部６５１とともに交差方向に移動する。【選択図】図１８
2020134837.tif 000002
【特許請求の範囲】
【請求項１】
ドロワであって、
第１方向に延びる軸を中心として回転可能である感光体ドラムと、
複数の前記感光体ドラムを保持するフレームであって、前記複数の感光体ドラムを第２方向において互いに間隔をあけた状態で保持するフレームと、
前記複数の感光体ドラムのうちの少なくとも１つの感光体ドラムについての情報と、前記フレームに着脱可能に装着される現像カートリッジについての情報と、の少なくとも１つを記憶するドロワメモリと、
前記フレームの前記第２方向における一方側の外表面に位置するドロワ側コネクタであって、前記ドロワメモリと電気的に接続されるドロワ側電気的接触部と、前記ドロワ側電気的接触部を内部に保持するソケットと、をもつドロワ側コネクタと、
を有するドロワと、
画像形成装置本体であって、
筐体であって、前記ドロワを前記筐体に対して挿入方向に移動して収納可能な内部空間を含む、筐体と、
制御部と、
前記ドロワが前記筐体に挿入された際に、前記ドロワ側電気的接触部と接触する本体側電気的接触部であって、前記制御部と電気的に接続される本体側電気的接触部と、
ベースと、
前記本体側電気的接触部が固定されるパネルと、
前記ベースと前記パネルとの間に介在する弾性部材と、
を有し、前記本体側電気的接触部を、前記弾性部材の伸縮方向に交差する交差方向に移動可能に保持するホルダと、
を有する本体側コネクタと、
を有する画像形成装置本体と、
を備える画像形成装置であって、
前記ホルダが、前記ドロワ側コネクタの前記ソケットに接触した場合に、前記パネルが前記本体側電気的接触部とともに前記ベースに対して前記交差方向に移動し、それにより前記本体側電気的接触部と前記ドロワ側電気的接触部とが接触する
ことを特徴とする画像形成装置。
【請求項２】
請求項１に記載の画像形成装置であって、
前記ホルダは、さらに、前記本体側電気的接触部を前記第３方向に移動可能に保持することを特徴とする、画像形成装置。
【請求項３】
請求項２に記載の画像形成装置であって、前記交差方向と前記第３方向とは直交することを特徴とする、画像形成装置。
【請求項４】
請求項１から請求項３のいずれか１項に記載の画像形成装置であって、
前記ホルダは、前記本体側電気的接触部を前記第３方向の一方側に押圧することを特徴とする画像形成装置。
【請求項５】
請求項４に記載の画像形成装置であって、
前記ホルダは、前記弾性部材としてコイルスプリングを用いて前記本体側電気的接触部を押圧することを特徴とする画像形成装置。
【請求項６】
請求項５に記載の画像形成装置であって、
前記コイルスプリングは、前記本体側電気的接触部を間に挟んで前記第１方向の一方側と他方側との２つの位置で電気的接触部を押圧することを特徴とする画像形成装置。
【請求項７】
請求項１から請求項６のいずれか１項に記載の画像形成装置であって、
前記ホルダは、
前記第３方向に垂直な平面状の部位である第１接触面と、
前記弾性部材の前記第３方向の一端が接続される第１バネ座と、
を有するベースと、
前記ベースに対して前記第３方向に重ね合わされて固定されるカバーと、
前記本体側電気的接触部が取り付けられる取付部と、
前記第１接触面に対して接触可能な第２接触面と、
前記弾性部材の前記第３方向の他端が接続される第２バネ座と、
を有するパネルと、
を備え、
前記ホルダは、前記ベースおよび前記カバーに対する前記パネルの移動範囲を規制する
ことを特徴とする画像形成装置。
【請求項８】
請求項７に記載の画像形成装置であって、
前記カバーは、
前記第１方向に対向する一対の第１側壁と、
前記第１方向および前記第３方向に垂直な方向である第４方向に対向する一対の第２側壁と、
を備え、
前記一対の第２側壁のうちの一方は、前記ベース側が開放された第１切欠きを有し、
前記パネルは、前記第４方向に延びる第１突起を有し、
前記第１突起が前記第１切欠きに収容され、前記第１突起の外周面と前記第１切欠きの内面との間には、前記第１方向に間隙が設けられることを特徴とする画像形成装置。
【請求項９】
請求項８に記載の画像形成装置であって、
前記カバーの前記一対の第２側壁のうちの他方は、前記第１切欠きに対向する位置から前記第１方向の両側に離れた位置に、前記ベース側が開放された第２切欠きを有し、
前記パネルは、前記第４方向に延びる第２突起を有し、
前記第２突起が前記第２切欠きに収容されることを特徴とする画像形成装置。
【請求項１０】
請求項９に記載の画像形成装置であって、
前記第３方向にみたときに、前記第１切欠きと２つの前記第２切欠きとが、二等辺三角形の頂点にそれぞれ配置されることを特徴とする画像形成装置。
【請求項１１】
請求項８から請求項１０のいずれか１項に記載の画像形成装置であって、
前記第１切欠きは、前記第１方向における幅が、前記ベースから前記第３方向に離れるに従って狭くなることを特徴とする画像形成装置。
【請求項１２】
請求項８から請求項１１のいずれか１項に記載の画像形成装置であって、
前記カバーは、
前記一対の第２側壁の、前記第３方向における前記ベースとは反対側の端部から、前記カバーの前記第４方向の内方側に向かって矩形状に延びる平面と、
前記平面の内縁から、前記カバーの前記第４方向の内方側に向かって突出する突起と、
を備え、
前記本体側電気的接触部および前記パネルが前記第４方向に移動することにより、前記突起のうちの一部が、前記パネルの前記第４方向における外表面に接触可能であることを特徴とする画像形成装置。
【請求項１３】
請求項８から請求項１２のいずれか１項に記載の画像形成装置であって、
前記パネルは、前記取付部を間に挟んで前記第１方向の両側に配置される耳部
を有し、
前記耳部は、前記ベースへ向けて開放された凹部を有し、
前記凹部内に前記第２バネ座が設けられる
ことを特徴とする画像形成装置。
【請求項１４】
請求項１３に記載の画像形成装置であって、
前記一対の第１側壁は、前記ベース側が開放された第３切欠きを有し、
前記耳部は、前記第３切欠きを通って前記第１方向に延びることを特徴とする画像形成装置。
【請求項１５】
請求項１から請求項１４のいずれか１項に記載の画像形成装置であって、
前記フレームには、トナーを収容する前記現像カートリッジが着脱可能に装着され、
前記ドロワメモリには、前記現像カートリッジを識別可能なトナー識別情報と、トナー寿命情報と、が記憶され、
前記ドロワ側コネクタと前記本体側コネクタは、互いに接続されることにより、前記ドロワメモリと前記制御部との通信を中継することを特徴とする画像形成装置。
【請求項１６】
請求項１から請求項１５のいずれか１項に記載の画像形成装置であって、
前記ドロワメモリは、
前記感光体ドラムを識別可能なドラム識別情報と、ドラム寿命情報と、を記憶し、
前記ドロワ側コネクタと前記本体側コネクタは、互いに接続されることにより、前記ドロワメモリと前記制御部との通信を中継することを特徴とする画像形成装置。
【発明の詳細な説明】
【技術分野】
【０００１】
本発明は、画像形成装置に関する。
【背景技術】
【０００２】
従来、レーザープリンタ、ＬＥＤプリンタ等の電子写真方式の画像形成装置が知られている。画像形成装置は、ドロワを有する。ドロワは、複数の感光体ドラムを有する。複数の現像カートリッジは、ドロワに対して着脱可能である。ドロワに現像カートリッジが装着されると、現像カートリッジの現像ローラと、ドロワの感光体ドラムとが接触する。現像カートリッジが装着された状態のドロワは、画像形成装置本体の筐体に収容される。
【０００３】
ドロワを有する画像形成装置については、例えば、特許文献１に記載されている。
【先行技術文献】
【特許文献】
【０００４】
【特許文献１】特開２０１０−１２８３３６号公報
【発明の概要】
【発明が解決しようとする課題】
【０００５】
従来、記憶媒体を有する現像カートリッジが知られている。記憶媒体には、現像カートリッジに関する種々の情報が記憶される。また、ドロワにおいて、感光体ドラムに関する種々の情報が扱われる。このため、ドロワに感光体ドラムに関する種々の情報を記憶する記憶媒体を搭載することも求められている。ドロワに感光体ドラムに関する記憶媒体を搭載する場合にも、ドロワに現像カートリッジを介して現像カートリッジに関する記憶媒体を搭載する場合にも、これらの記憶媒体は、画像形成装置本体側の制御部と電気的に接続される必要がある。
【０００６】
しかしながら、ドロワを画像形成装置本体の筐体に収容した場合に、ドロワ側の電気的接触部と、画像形成装置本体側の電気的接触部と、の位置関係に誤差が生じる場合が考えられる。
【０００７】
そこで、本発明は、ドロワ側の電気的接触部と、画像形成装置本体側の電気的接触部と、の位置関係に誤差があったとしても、ドロワ側の記憶媒体を、ドロワ側の電気的接触部および画像形成装置本体側の電気的接触部を介して精度よく、かつ容易に、画像形成装置本体の制御部と電気的に接続することが可能な、画像形成装置を提供することを目的とする。
【課題を解決するための手段】
【０００８】
本願の第１の観点によれば、以下の構成の画像形成装置が提供される。即ち、この画像形成装置は、ドロワと、画像形成装置本体とを備える。前記ドロワは、感光体ドラムと、フレームと、ドロワメモリと、ドロワ側コネクタとを有する。前記感光体ドラムは、第１方向に延びる軸を中心として回転可能である。前記フレームは、複数の前記感光体ドラムを保持するフレームであって、前記複数の感光体ドラムを第２方向において互いに間隔をあけた状態で保持する。前記ドロワメモリは、記複数の感光体ドラムのうちの少なくとも１つの感光体ドラムについての情報と、前記フレームに着脱可能に装着される現像カートリッジについての情報と、の少なくとも１つを記憶する。前記ドロワ側コネクタは、前記フレームの前記第２方向における一方側の外表面に位置するドロワ側コネクタであって、前記ドロワメモリと電気的に接続されるドロワ側電気的接触部と、前記ドロワ側電気的接触部を内部に保持するソケットと、をもつ。前記画像形成装置本体は、筐体と、制御部と、本体側コネクタとを有する。前記筐体は、前記ドロワを前記筐体に対して挿入方向に移動して収納可能な内部空間を含む。前記本体側コネクタは、本体側電気的接触部と、ホルダとを有する。前記ホルダは、ベースと、パネルと、弾性部材とを有する。前記本体側電気的接触部は、記ドロワが前記筐体に挿入された際に、前記ドロワ側電気的接触部と接触する本体側電気的接触部であって、前記制御部と電気的に接続される。前記ホルダの前記パネルには、前記本体側電気的接触部が固定される。前記弾性部材は、前記ベースと前記パネルとの間に介在する。前記ホルダは、前記本体側電気的接触部を、前記弾性部材の伸縮方向に交差する交差方向に移動可能に保持する。この画像形成装置において、前記ホルダが前記ドロワ側コネクタの前記ソケットに接触した場合に、前記パネルが前記本体側電気的接触部とともに前記ベースに対して前記交差方向に移動し、それにより前記本体側電気的接触部と前記ドロワ側電気的接触部とが接触する。
【０００９】
本願の第２の観点では、第１の観点に係る画像形成装置において、前記ホルダは、さらに、前記本体側電気的接触部を前記第３方向に移動可能に保持する。
【００１０】
本願の第３の観点では、第２の観点に係る画像形成装置において、前記交差方向と前記第３方向とは直交する。
【００１１】
本願の第４の観点では、第１の観点から第３の観点のいずれか１つの画像形成装置において、前記ホルダは、前記本体側電気的接触部を前記第３方向の一方側に押圧する。
【００１２】
本願の第５の観点では、第４の観点に係る画像形成装置において、前記ホルダは、前記コイルスプリングを前記弾性部材として用いて前記本体側電気的接触部を押圧する。
【００１３】
本願の第６の観点では、第５の観点に係る画像形成装置において、前記コイルスプリングは、前記本体側電気的接触部を間に挟んで前記第１方向の一方側と他方側との２つの位置で電気的接触部を押圧する。
【００１４】
本願の第７の観点では、第１の観点から第６の観点のいずれか１つの画像形成装置において、前記ホルダは、ベースと、カバーと、パネルとを備える。前記ベースは、第１接触面と、第１バネ座とを有する。前記第１接触面は、前記第３方向に垂直な平面状の部位である。前記第１バネ座には、前記弾性部材の前記第３方向の一端が接続される。前記カバーは、前記ベースに対して前記第３方向に重ね合わされて固定される。前記パネルは、取付部と、第２接触面と、第２バネ座とを有する。前記取付部には、前記本体側電気的接触部が取り付けられる。前記第２接触面は、前記第１接触面に対して接触可能である。前記第２バネ座には、前記弾性部材の前記第３方向の他端が接続される。この画像形成装置において、前記ホルダは、前記ベースおよび前記カバーに対する前記パネルの移動範囲を規制する。
【００１５】
本願の第８の観点では、第７の観点の画像形成装置において、前記カバーは、一対の第１側壁と、一対の第２側壁とを備える。前記一対の第１側壁は、前記第１方向に対向する。前記一対の第２側壁は、前記第１方向および前記第３方向に垂直な方向である第４方向に対向する。前記一対の第２側壁のうちの一方は、前記ベース側が開放された第１切欠きを有する。前記パネルは、前記第４方向に延びる第１突起を有する。この画像形成装置においては、前記第１突起が前記第１切欠きに収容され、前記第１突起の外周面と前記第１切欠きの内面との間には、前記第１方向に間隙が設けられる。
【００１６】
本願の第９の観点では、第８の観点の画像形成装置において、前記カバーの前記一対の第２側壁のうちの他方は、前記第１切欠きに対向する位置から前記第１方向の両側に離れた位置に、前記ベース側が開放された第２切欠きを有する。前記パネルは、前記第４方向に延びる第２突起を有する。前記第２突起は前記第２切欠きに収容される。
【００１７】
本願の第１０の観点では、第９の観点の画像形成装置において、前記第３方向にみたときに、前記第１切欠きと２つの前記第２切欠きとが、二等辺三角形の頂点にそれぞれ配置される。
【００１８】
本願の第１１の観点では、第８の観点から第１０の観点のいずれか１つの画像形成装置において、前記第１切欠きは、前記第１方向における幅が、前記ベースから前記第３方向に離れるに従って狭くなる。
【００１９】
本願の第１２の観点では、第８の観点から第１１の観点のいずれか１つの画像形成装置において、前記カバーは、平面と、突起とを備える。前記平面は、前記一対の第２側壁の、前記第３方向における前記ベースとは反対側の端部から、前記カバーの前記第４方向の内方側に向かって矩形状に延びる。前記突起は、記平面の内縁から、前記カバーの前記第４方向の内方側に向かって突出する。この画像形成装置においては、前記本体側電気的接触部および前記パネルが前記第４方向に移動することにより、前記突起のうちの一部が、前記パネルの前記第４方向における外表面に接触可能である。
【００２０】
本願の第１３の観点では、第８の観点から第１２の観点のいずれか１つの画像形成装置において、前記パネルは、前記取付部を間に挟んで前記第１方向の両側に配置される耳部
を有する。前記耳部は、前記ベースへ向けて開放された凹部を有する。また、前記凹部内に前記第２バネ座が設けられる。
【００２１】
本願の第１４の観点では、第１３の観点の画像形成装置において、前記一対の第１側壁は、前記ベース側が開放された第３切欠きを有する。前記耳部は、前記第３切欠きを通って前記第１方向に延びる。
【００２２】
本願の第１５の観点では、第１の観点から第１４の観点のいずれか１つの画像形成装置において、前記フレームには、トナーを収容する前記現像カートリッジが着脱可能に装着される。前記ドロワメモリには、前記現像カートリッジを識別可能なトナー識別情報と、トナー寿命情報と、が記憶される。この画像形成装置においては、前記ドロワ側コネクタと前記本体側コネクタは、互いに接続されることにより、前記ドロワメモリと前記制御部との通信を中継する。
【００２３】
本願の第１６の観点では、第１の観点から第１５の観点のいずれか１つの画像形成装置において、前記ドロワメモリは、前記感光体ドラムを識別可能なドラム識別情報と、ドラム寿命情報と、を記憶する。この画像形成装置においては、記ドロワ側コネクタと前記本体側コネクタは、互いに接続されることにより、前記ドロワメモリと前記制御部との通信を中継する。
【発明の効果】
【００２４】
本願の第１の観点から第１６の観点によれば、ドロワ側の記憶媒体を、ドロワ側の電気的接触部および画像形成装置本体側の電気的接触部を介して精度よく、かつ容易に、画像形成装置本体の制御部と電気的に接続することが可能な、画像形成装置が提供される。
【００２５】
本願の第１の観点によれば、本体側コネクタのホルダの一部がドロワ側コネクタのソケットに接触し始めた後に、仮にドロワ側電気的接触部と本体側電気的接触部との位置関係に誤差があったとしても、挿入される際の力を利用して本体側電気的接触部がホルダの一部とともに交差方向に移動する。これにより、本体側電気的接触部がドロワ側コネクタのソケット内にガイドされて、ドロワ側コネクタと本体側コネクタとを容易に接続することができる。
【００２６】
本願の第２の観点によれば、ホルダがダンパとして機能し、電気的接触部やそれを収容するホルダ等に大きな負荷が掛かってしまうことを抑制できる。
【００２７】
本願の第４の観点によれば、ホルダが第３方向に移動することで、本体側電気的接触部およびそれを保持するホルダ等に大きな負荷が掛かってしまうことを抑制できる。
【００２８】
本願の第５の観点によれば、コイルスプリングの特性により、本体側電気的接触部を第３方向に移動しやすく、かつ、交差方向にも移動しやすくすることができる。
【００２９】
本願の第６の観点によれば、コイルスプリングが１つの場合よりも、本体側電気的接触部の姿勢を安定させることができる。
【００３０】
本願の第７の観点によれば、本体側電気的接触部を、第３方向と、第３方向に交差する方向とに、移動可能としつつ、本体側電気的接触部の移動範囲を規制することができる。その結果、ドロワ側電気的接触部と本体側電気的接触部とをより容易に接近させて接続することができる。
【００３１】
本願の第８の観点によれば、第１突起が第１切欠き内でしか移動しないことにより、本体側電気的接触部の第１方向の移動範囲を規制することができる。
【００３２】
本願の第９の観点によれば、第１突起が第１切欠き内でしか移動せず、かつ、第２突起が第２切欠き内でしか移動しないことにより、本体側電気的接触部の第３方向への移動範囲を規制することができる。本体側電気的接触部の第３方向への移動範囲の規制を、第１切欠きの１箇所と、第２切欠きの２箇所との、合計３箇所とすることにより、本体側電気的接触部（パネル）に無理な負荷が掛かって動かなくなってしまうことを抑制できる。
【００３３】
本願の第１０の観点によれば、本体側電気的接触部（パネル）に無理な荷重が掛かりに難くなり、より円滑な動きを実現することができる。
【００３４】
本願の第１１の観点によれば、パネルが押圧力に従ってベースに対して第３方向に突出している間は、第１突起は第１方向に比較的小さくしか移動できない一方、パネルが押圧力に反して第３方向に凹んでいる（ベースに接近している）間は、第１突起は第１方向に比較的大きく移動できる。よって、本体側電気的接触部とドロワ側電気的接触部とが接触するときにだけ、第１突起の第１方向への移動の許容範囲を広くすることができる。別の言い方をすれば、それ以外の場合には、本体側電気的接触部を一定の位置に精度よく配置することができる。その結果、本体側コネクタとドロワ側コネクタとの接続を、精度よく行うことができる。
【００３５】
本願の第１２の観点によれば、パネルが、突起に接触する位置までしか第４方向に移動しないことにより、本体側電気的接触部の第４方向への移動範囲を規制することができる。
【００３６】
本願の第１３の観点によれば、耳部の内部空間に弾性部材を配置することができる。よって、ベースおよびパネルの第１方向におけるより外側の位置にて、パネルを押圧することができる。これにより、本体側電気的接触部の姿勢を安定化することができる。
【００３７】
本願の第１４の観点によれば、ベースおよびパネルの第１方向におけるより外側の位置にて、パネルを押圧することができる。これにより、本体側電気的接触部の姿勢をより安定化することができる。
【図面の簡単な説明】
【００３８】
【図１】画像形成装置の概略図である。
【図２】画像形成装置の概略図である。
【図３】ドロワの斜視図である。
【図４】ドロワの斜視図である。
【図５】本体側コネクタの斜視図である。
【図６】ベースの斜視図である。
【図７】ベースの斜視図である。
【図８】カバーの斜視図である。
【図９】カバーの斜視図である。
【図１０】パネルおよび本体側電気的接触部の分解斜視図である。
【図１１】パネルおよび本体側電気的接触部の分解斜視図である。
【図１２】本体側コネクタの分解斜視図である。
【図１３】本体側コネクタの分解斜視図である。
【図１４】本体側コネクタを第３方向の他方側から見た図である。
【図１５】本体側コネクタを第４方向の一方側から見た図である。
【図１６】本体側コネクタを第４方向の他方側から見た図である。
【図１７】本体側コネクタを第１方向の他方側から見た図である。
【図１８】ソケットがホルダの一部に接触する様子を示す模式図である。
【発明を実施するための形態】
【００３９】
以下、本発明の実施形態について、添付図面を参照しつつ説明する。
【００４０】
なお、以下の説明においては、感光体ドラムの回転中心軸（ドラム軸）が延びる方向を「第１方向」と称する。また、複数の感光体ドラムが並ぶ方向を「第２方向」と称する。第１方向と第２方向とは、互いに交差、好ましくは直交する。また、ソケットが延びる方向を第３方向と称する。第３方向は、好ましくは第１方向と直交し、かつ、第２方向を成分に含む方向である。さらに、第１方向および第３方向に垂直な方向を第４方向と称する。
【００４１】
＜１．画像形成装置の構成＞
図１および図２は、画像形成装置１００の概略図である。この画像形成装置１００は、電子写真方式のプリンタである。画像形成装置１００の例としては、レーザープリンタまたはＬＥＤプリンタが挙げられる。図１および図２に示すように、画像形成装置１００は、ドロワ１０と、画像形成装置本体６０とを備える。
【００４２】
＜１−１．ドロワの構成＞
以下では、ドロワ１０の構成について説明する。図３および図４は、ドロワ１０の斜視図である。図１から図４に示すように、ドロワ１０は、４つの感光体ドラム１１、フレーム１２、ドラムメモリ（ドロワメモリ）１３、４つの現像カートリッジ１４、４つのトナーメモリ（ドロワメモリ）１５、およびドロワ側コネクタ１６を有する。
【００４３】
図３および図４に示すように、４つの感光体ドラム１１は、それぞれ、第１方向に延びる回転中心軸であるドラム軸を中心とする円筒状の外周面を有する。感光体ドラム１１の外周面は、感光材料に覆われている。また、４つの感光体ドラム１１は、それぞれ、ドラム軸を中心として回転可能である。
【００４４】
図３および図４に示すように、フレーム１２は、４つの感光体ドラム１１を保持する枠体である。フレーム１２は、複数の感光体ドラム１１を第２方向において互いに間隔をあけた状態で保持する。フレーム１２は、第２方向において対向する一対のベース板１３１と、第１方向において対向する一対の側板１３２とを有する。
【００４５】
図１および図２に示すように、現像カートリッジ１４は、フレーム１２に着脱可能である。現像カートリッジ１４は、現像剤であるトナーを収容可能な筐体を有する。４つの現像カートリッジ１４は、互いに異なる色（例えば、シアン、マゼンタ、イエロー、およびブラックの各色）のトナーを収容する。また、本実施形態の現像カートリッジ１４は、現像ローラ１７を有する。現像ローラ１７は、円筒状の部材である。現像ローラ１７は、第１方向に延びる回転中心軸である現像軸を中心に回転可能である。現像カートリッジ１４がフレーム１２に装着されると、感光体ドラム１１の外周面は、現像ローラ１７の外周面と接触する。
【００４６】
ドラムメモリ１３、トナーメモリ１５、およびドロワ側コネクタ１６については、後に詳述する。
【００４７】
＜１−２．画像形成装置本体の構成＞
以下では、画像形成装置本体６０の構成について説明する。図１および図２に示すように、画像形成装置本体６０は、筐体６１、カバー６２、転写ベルト６３、制御部６４、および本体側コネクタ６５を有する。
【００４８】
筐体６１は、概ね直方体状であり、内部空間６１０を含む。筐体６１の内部空間６１０には、ドロワ１０を筐体６１に対して挿入方向に移動して収容可能である。本実施形態では、「挿入方向」は、第２方向の一方側に向かう方向である。このように、筐体６１には、現像カートリッジ１４を装着した状態のドロワ１０が収容される。その他に、筐体６１には、４つの帯電器（図示省略）、４つの光源（図示省略）、転写ベルト６３、制御部６４、および本体側コネクタ６５が収容される。
【００４９】
カバー６２は、図１中に実線で示した開放位置と、図１中に二点鎖線で示した閉鎖位置との間で、移動可能である。具体的には、カバー６２は、第１方向に延びるヒンジ６６を中心として回動可能である。カバー６２が開放位置に配置されると、筐体６１の内部空間６１０が開放される。カバー６２が閉鎖位置に配置されると、筐体６１の内部空間６１０が閉鎖される。
【００５０】
画像形成装置１００のユーザは、カバー６２が開放位置の状態で、現像カートリッジ１４が装着されたドロワ１０を、挿入方向に移動させることができる。これにより、ドロワ１０を、少なくとも一部が筐体６１の外部に位置する離脱位置と、内部空間６１０にセットされた装着位置との間で、移動させることができる。
【００５１】
転写ベルト６３は、印刷用紙を搬送するための無端帯状のベルトである。転写ベルト６３は、ドロワ１０が装着位置に配置された状態で、感光体ドラム１１を挟んで現像ローラ１７とは反対側に位置する。転写ベルト６３の外周面は、ドロワ１０が装着位置に配置された状態で、感光体ドラム１１の外周面に接触可能である。
【００５２】
制御部６４は、ＣＰＵ等のプロセッサと、本体メモリとを有する。本体メモリは、情報の読み出しおよび書き込みが可能な記録媒体である。本体メモリは、例えばフラッシュＲＯＭまたはＥＥＰＲＯＭである。本体メモリは、画像形成装置１００の動作を制御するためのコンピュータプログラムを記憶している。プロセッサは、本体メモリに記憶されたコンピュータプログラムに従って、種々の処理を実行する。すなわち、プロセッサは、画像形成装置１００の印刷処理およびそれに付随する種々の処理を実行する。
【００５３】
本体側コネクタ６５については後に詳述する。
【００５４】
＜１−３．電気的な接続に関する構成＞
以下では、画像形成装置１００の電気的な接続に関する構成について説明する。具体的には、ドラムメモリ１３、トナーメモリ１５、ドロワ側コネクタ１６、および本体側コネクタ６５について、図２および図４を主として参照して説明する。
【００５５】
＜１−３−１．ドロワが有する電気的な接続に関する構成＞
ドロワ１０は、電気的な接続に関する構成として、ドラムメモリ１３、トナーメモリ１５、およびドロワ側コネクタ１６を有する。
【００５６】
ドラムメモリ１３は、４つの感光体ドラム１１のうちの少なくとも１つの感光体ドラム１１についての情報を記憶する。具体的には、本実施形態のドラムメモリ１３は、個々の感光体ドラム１１を識別可能なドラム識別情報と、感光体ドラム１１の寿命に関するドラム寿命情報とを、記憶している。ドラム識別情報は、例えばシリアルナンバーである。ドラム寿命情報は、感光体ドラム１１の回転数、および感光体ドラム１１の印刷枚数の少なくともいずれかである。図４に示すように、本実施形態のドラムメモリ１３は、一対のベース板１３１のうち第２方向の一方側のベース板１３１の内表面に位置する。ドラムメモリ１３は、後述するトナーメモリ１５とドロワ側コネクタ１６との電気的な接続を中継する。
【００５７】
トナーメモリ１５は、各現像カートリッジ１４に個別に設けられる。トナーメモリ１５は、個々の現像カートリッジ１４を識別可能なトナー識別情報と、現像カートリッジ１４の寿命に関するトナー寿命情報とを、記憶している。トナー識別情報は、例えばシリアルナンバーである。トナー寿命情報は、現像ローラ１７の回転数、現像ローラ１７の印刷枚数、および出力ドット数の少なくともいずれかである。現像カートリッジ１４がドロワ１０に装着された状態のとき、本実施形態のトナーメモリ１５は、一対の側板１３２のうち第１方向の他方側の側板１３２の外表面に位置する。
【００５８】
図３に示すように、ドロワ側コネクタ１６は、一対のベース板１３１のうち第２方向の一方側のベース板１３１の外表面に位置する。ドロワ側コネクタ１６は、ドロワ側電気的接触部１６１と、ソケット１６２とをもつ。ドロワ側電気的接触部１６１には、複数の電気的接触面が配列される。各電気的接触面からは、それぞれ、電圧線やクロック線やデータ線等の配線のいずれかが延びる。これらの配線は、ドラムメモリ１３に接続される。さらに、これらの配線は、ドラムメモリ１３を介して、対応するトナーメモリ１５と電気的に接続される。配線は、適宜束ねられて、ハーネスとされている。このように、ドロワ側電気的接触部１６１は、ドラムメモリ１３およびトナーメモリ１５と電気的に接続される。
【００５９】
ドロワ側コネクタ１６が後述する本体側コネクタ６５に接続されると、ドラムメモリ１３およびトナーメモリ１５と、制御部６４とが、電気的に接続される。これにより、制御部６４がドラムメモリ１３およびトナーメモリ１５と通信可能となる。
【００６０】
図３に示すソケット１６２は、第３方向に延びる。ソケット１６２は、ドロワ側電気的接触部１６１を内部に保持する。すなわち、ソケット１６２は、ドロワ側電気的接触部１６１の周囲を取り囲む。ソケット１６２は、第３方向においてドロワ側電気的接触部１６１に近づくにつれて、次第に収束する形状を有する。別の言い方をすれば、ソケット１６２は、第３方向の一方側に向かうほど、ドロワ側電気的接触部１６１から離れるように広がる。
【００６１】
＜１−３−２．画像形成装置本体が有する電気的な接続に関する構成＞
図５は、本体側コネクタ６５の斜視図である。図５に示すように、本体側コネクタ６５は、本体側電気的接触部６５１と、ホルダ６５２とをもつ。本体側電気的接触部６５１には、複数の電気接点が配列される。各電気接点からは、それぞれ、電圧線やクロック線やデータ線等の配線のいずれかが延びる。これらの配線は、制御部６４の対応する端子に接続される。配線は、適宜束ねられて、ハーネスとされる。このように、本体側電気的接触部６５１は、制御部６４と電気的に接続される。
【００６２】
ドロワ１０が筐体６１の内部空間６１０に挿入されてドロワ１０が装着位置に配置されたとき、本体側コネクタ６５と、ドロワ側コネクタ１６とが接続される。これにより、ドロワ側電気的接触部１６１の各電気的接触面は、本体側電気的接触部６５１に設けられた対応する電気接点に接触する。
【００６３】
ホルダ６５２は、本体側電気的接触部６５１を、第３方向、および第３方向に交差する方向に移動可能に保持する。第３方向に交差する方向は、例えば第４方向である。本実施形態では、ホルダ６５２は、本体側電気的接触部６５１を、第３方向および第３方向に直交する方向に、移動可能に、すなわちフロート可能に、保持する。ホルダ６５２の具体的な構成については、後に詳述する。
【００６４】
以上のような構成の画像形成装置１００において、印刷処理の実行時に、制御部６４は、図示を省略したモータを駆動させる。感光体ドラム１１および現像ローラ１７は、このモータの駆動によって、回転する。また、制御部６４は、帯電器に電力を供給することにより、感光体ドラム１１の表面を帯電させる。さらに制御部６４は、光源を発光させることにより、光源の光を感光体ドラム１１の外周面に照射する。これにより、印刷すべき画像の静電潜像が、感光体ドラム１１の外周面に形成される。現像カートリッジ１４のトナーは、現像ローラ１７を介して、感光体ドラム１１の静電潜像上に供給される。これにより、トナー像が、感光体ドラム１１の外周面に形成される。その後、印刷用紙は、感光体ドラム１１と転写ベルト６３との間へ搬送される。これにより、感光体ドラム１１の外周面から印刷用紙へ、トナー像が転写される。印刷用紙にトナー像が転写された状態で、印刷用紙は、画像形成装置１００内の定着ユニットに搬送される。これにより、印刷用紙に転写されたトナー像が、印刷用紙上に熱定着される。その結果、印刷用紙に画像が印刷される。
【００６５】
なお、上記の印刷処理の実行時に、制御部６４は、ドラムメモリ１３およびトナーメモリ１５と通信することにより、感光体ドラム１１の寿命および現像カートリッジ１４の寿命等に関する情報を取得する。これにより、制御部６４は、状況に応じて好適なモードに設定して印刷処理を実行し、あるいは、状況によっては印刷処理を中止することができる。
【００６６】
＜１−４．本体側コネクタの各部の詳細な構成＞
以下では、本体側コネクタ６５の構成、とりわけホルダ６５２の詳細な構成について、図５から図１８を参照して説明する。図５に示すように、ホルダ６５２は、ベース６６０と、カバー６７０と、パネル６８０と、コイルスプリング（弾性部材）６９０（図６を参照）とを備える。
【００６７】
＜１−４−１．ベースの構成＞
初めに、ベース６６０の構成について、図６および図７を参照して説明する。図６は、ベース６６０とコイルスプリング６９０との斜視図である。図７は、ベース６６０を図６とは異なる方向から見たときの斜視図である。
【００６８】
ベース６６０は、第３方向に見たときに概ね矩形状である。ただし、ベース６６０は取付部６９９を有する。取付部６９９は、筐体６１の内部空間６１０内に第１方向に延びる基準軸（図示省略）にベース６６０を取り付けるために用いられる。取付部６９９は、切欠き６９９ａを有する。切欠き６９９ａが上記基準軸に嵌め込まれる。ベース６６０は、上記矩形の中央部に、第３方向に貫通する貫通孔６６９を有する。貫通孔６６９の内周面は、第３方向に見たときに長辺と短辺とを有する長方形状である。
【００６９】
ベース６６０は、第３方向の他方側の外表面に第１バネ座６６１を有する。第１バネ座６６１には、後述するコイルスプリング６９０の第３方向の一端が接続される。第１バネ座６６１は、貫通孔６６９を間に挟んで、貫通孔６６９に対して第１方向の一方側と、貫通孔６６９に対して第１方向の他方側と、の２箇所に配置される。
【００７０】
ベース６６０は、第４方向に対向する一対の端壁６６２を有する。各端壁６６２は、第４方向に対して垂直に広がる。端壁６６２の第１方向における中央部には、第３方向の他方側に開放された矩形状の切欠き６６２ａが設けられる。
【００７１】
また、ベース６６０は、第３方向の他方側の外表面に、リブ状に突出した第１接触面６６３を有する。第１接触面６６３は、第３方向に対して垂直な平面状の部位である。第１接触面６６３は、貫通孔６６９の上記長辺の一部分から第４方向に延びる。第１接触面６６３は、第１方向に隣り合う領域よりも、第３方向の他方側に向けて突出する。
【００７２】
また、ベース６６０は、第３方向の他方側の外表面に開口したネジ孔６６４を有する。ネジ孔６６４は、第３方向の一方側に向かって延びている。ネジ孔６６４は、内周面に雌ネジを有する。
【００７３】
＜１−４−２．カバーの構成＞
次に、カバー６７０の構成について、図８および図９を参照して説明する。図８は、カバー６７０とネジ６９８との斜視図である。図９は、カバー６７０を図８とは異なる方向から見たときの斜視図である。
【００７４】
カバー６７０は、第３方向に見たときに概ね矩形の枠状である。カバー６７０は、枠部６７１と、一対の第１側壁６７３と、一対の第２側壁６７４とを有する。枠部６７１は、外形が長方形状であり、中央部に貫通孔６７１ａを有する。貫通孔６７１ａの内周面は、枠部６７１の外形に沿う長辺と短辺を有する長方形状である。
【００７５】
一対の第１側壁６７３は、第１方向に離れている。第１側壁６７３は、第１方向に対して垂直な板状である。第１側壁６７３は、枠部６７１の外縁のうち短辺の部分から第３方向の一方側に延びる。一対の第２側壁６７４は、第４方向に離れている。第２側壁６７４は、第４方向に対して垂直な板状である。第２側壁６７４は、枠部６７１の外縁のうち長辺の部分から第３方向の一方側に延びる。
【００７６】
枠部６７１は、一対の貫通孔６７５を有する。貫通孔６７５は、枠部６７１を第３方向に貫通する。後にも説明するように、カバー６７０はベース６６０に対して第３方向に重ね合わされて固定される。貫通孔６７５は、ベース６６０のネジ孔６６４に対応する位置に設けられる。貫通孔６７５にはネジ６９８の軸部を挿入可能である。枠部６７１を第３方向の他方側から見たとき、枠部６７１の貫通孔６７５が形成される領域は、その他の領域よりも第３方向の他方側に凹んでいる。
【００７７】
一対の第２側壁６７４のうちの第４方向の一方側の第２側壁６７４は、第３方向の一方側に開放された第１切欠き６７４ａを有する。第１切欠き６７４ａは、第４方向の一方側の第２側壁６７４の、第１方向における略中央部に設けられる。第１切欠き６７４ａは、第１方向における幅が、第３方向の他方側に向かうほど縮小する。すなわち、第１切欠き６７４ａは、第１方向における幅が、ベース６６０から第３方向に離れるに従って狭くなる。
【００７８】
本実施形態においては、一対の第２側壁６７４のうちの第４方向の他方側の第２側壁６７４は、第３方向の一方側に開放された切欠き６７４ｂを有する。切欠き６７４ｂは、第４方向にみたときに、第１切欠き６７４ａと重複する形状に設けられる。また、第２側壁６７４は、第１切欠き６７４ａに対向する位置（切欠き６７４ｂの位置）から第１方向の両側に離れた位置に、第２切欠き６７４ｃを有する。第４方向に見たとき、第２切欠き６７４ｃは、切欠き６７４ｂを挟んで一対に設けられる。第２切欠き６７４ｃは、第３方向の一方側に開放されている。第２切欠き６７４ｃは、第４方向に見たときに略矩形状である。
【００７９】
第３方向に見たときに、第１切欠き６７４ａと、対をなす２つの第２切欠き６７４ｃとは、仮想上の二等辺三角形の頂点にそれぞれ配置される。
【００８０】
第１側壁６７３は、第３方向の一方側に開放された第３切欠き６７３ａを有する。第３切欠き６７３ａは、対向する第１側壁６７３に一対に設けられる。第３切欠き６７３ａは、第１方向に見たときに略矩形状である。
【００８１】
カバー６７０の枠部６７１は、詳細には、平面６７１ｂと、突起６７１ｃとを含む。平面６７１ｂは、第２側壁６７４の、第３方向におけるベース６６０とは反対側（他方側）の端部から、カバー６７０の第４方向の内方側に向かって略矩形状に延びる。突起６７１ｃは、平面６７１ｂの内縁から、カバー６７０の第４方向の内方側に向かって部分的に突出する。第３方向に見たときに、突起６７１ｃは、切欠き６７４ａ，６７４ｂを間に挟んで第１方向の両側の位置に、合計４つ設けられる。４つの突起６７１ｃは、第３方向にみたとき、仮想上の長方形の頂点にそれぞれ配置される。
【００８２】
＜１−４−３．パネルの構成＞
次に、パネル６８０の構成について、図１０および図１１を参照して説明する。図１０は、パネル６８０と本体側電気的接触部６５１との斜視図である。図１１は、図１０とは異なる方向から見たときの、パネル６８０と本体側電気的接触部６５１との斜視図である。
【００８３】
パネル６８０は、箱体６８１と、仕切り板６８２とを含む。箱体６８１は角筒状であり、第３方向に延びる。箱体６８１は、第３方向に見たときに外形が略長方形状である。仕切り板６８２は、第３方向に垂直な略矩形の板状である。仕切り板６８２は、箱体６８１の第３方向の一部分の内側面から箱体６８１の内方側に向かって広がる。仕切り板６８２は、中央部に、仕切り板６８２の外形に沿う矩形状の貫通孔６８２ａを有する。
【００８４】
仕切り板６８２において、貫通孔６８２ａを間に挟んで第１方向の両側には、貫通孔（取付部）６８２ｂが配置される。貫通孔６８２ｂの内周面は、第３方向に見たときに円形状である。貫通孔６８２ｂに、第３方向の他方側から、本体側電気的接触部６５１が取り付けられる。
【００８５】
パネル６８０は、箱体６８１の第１方向における両側から、パネル６８０の外方側に向かって突出する一対の耳部６８３を有する。耳部６８３は、貫通孔６８２ａおよび貫通孔６８２ｂを間に挟んで第１方向の両側に配置される。
【００８６】
図１１に示すように、耳部６８３は、内部に空洞を有する。別の言い方をすれば、耳部６８３は、ベース６６０へ向けて開放された凹部６８３ａを有する。耳部６８３は、凹部６８３ａの底部に第２バネ座６８３ｂを有する。すなわち、第２バネ座６８３ｂは、凹部６８３ａ内に設けられる。バネ座６８３ｂには、コイルスプリング６９０の第３方向の他端が接続される。
【００８７】
箱体６８１の側壁のうち、第４方向に垂直な一対の側壁６８１ｃの、第３方向の一方側の端部は、それぞれ、凹部６８０ｄを有する。凹部６８０ｄは、側壁６８１ｃから箱体６８１の径方向内方へ、凹んでいる。凹部６８０ｄの底部は、第４方向に垂直な平面部６８１ｅとなっている。平面部６８１ｅの第３方向の一方側の端面は、箱体６８１の第３方向の一方側の端面と連続している。この平面部６８１ｅの第３方向の一方側の端面が、第２接触面６８１ｆとなっている。後述するように、第２接触面６８１ｆは、ベース６６０の第１接触面６６３に対して接触可能である。
【００８８】
また、箱体６８１は、第１突起６８４、一対の第２突起６８５、および第３突起６８６を有する。第１突起６８４は、一対の凹部６８０ｄのうち第４方向の一方側の凹部６８０ｄから、箱体６８１の外方側に向かって延びている。すなわち、第１突起６８４は、第４方向の一方側へ延びている。第２突起６８５は、一対の耳部６８３から、それぞれ、第４方向の他方側へ向かって延びている。また、第３突起６８６は、一対の凹部６８０ｄのうち第４方向の他方側の凹部６８０ｄから、箱体６８１の外方側に向かって延びている。すなわち、第３突起６８６は、第４方向の他方側へ延びている。
【００８９】
第１突起６８４および第３突起６８６は、第４方向に垂直な断面で切ったときに、半円状の断面を有する。この半円は、第３方向の一方側に開放端を向けている。すなわち、第１突起６８４および第３突起６８６の外表面は、第４方向に見たときに、第３方向の他方側に向かうにつれて第１方向の幅が狭まる半円形状を有する。
【００９０】
＜１−４−４．弾性部材の構成＞
コイルスプリング６９０は、金属線が螺旋状に巻かれた弾性部材である。コイルスプリング６９０は、ベース６６０とパネル６８０との間に介在する。コイルスプリング６９０は、第３方向に伸縮可能である。また、コイルスプリング６９０は、螺旋の径方向に撓むことが可能である。後述するように、コイルスプリング６９０は、自然長よりも圧縮された状態で、ベース６６０の第１バネ座６６１と、パネル６８０の耳部６８３の第２バネ座６８３ｂと、の間に配置される。
【００９１】
＜１−５．本体側電気的接触部の構成＞
以下では、本体側電気的接触部６５１の構成について、図１０および図１１を参照して説明する。本体側電気的接触部６５１は、雌型コネクタ端子６５１ａと、コネクタ端子支持台６５１ｂと、一対の軸部６５１ｃとを有する。
【００９２】
雌型コネクタ端子６５１ａには、上述の複数の電気接点が配置される。コネクタ端子支持台６５１ｂは、第３方向に対して垂直な矩形の略板状の部位である。コネクタ端子支持台６５１ｂの中央部に、上記の雌型コネクタ端子６５１ａが固定される。コネクタ端子支持台６５１ｂの第３方向の一方側の端面には、一対の軸部６５１ｃが位置する。軸部６５１ｃは、雌型コネクタ端子６５１ａを間に挟んで第１方向の両側に配置される。
【００９３】
軸部６５１ｃは、略円錐状であり、コネクタ端子支持台６５１ｂから第３方向の一方側に突出する。軸部６５１ｃは、弾性材料からなる。軸部６５１ｃは、オペレータにより加圧されることにより、径方向に縮むことが可能である。
【００９４】
＜１−６．本体側コネクタの各部の組付け構成＞
以下では、ベース６６０、カバー６７０、パネル６８０、コイルスプリング６９０、ネジ６９８、および本体側電気的接触部６５１が組付けられる際の様子について、図１２および図１３を参照して説明する。図１２は、本体側コネクタ６５の分解斜視図である。図１３は、図１２とは異なる方向にみたときの、本体側コネクタ６５の分解斜視図である。
【００９５】
まず初めに、画像形成装置１００を製造する工場のオペレータが、本体側電気的接触部６５１の軸部６５１ｃを加圧しながら、当該軸部６５１ｃをパネル６８０の仕切り板６８２の貫通孔６８２ｂに挿入する。これにより、本体側電気的接触部６５１がパネル６８０に取り付けられる。軸部６５１ｃは、貫通孔６８２ｂを通過すると、径方向外方に拡がる。これにより、本体側電気的接触部６５１がパネル６８０の仕切り板６８２から脱落不能となる。
【００９６】
本体側電気的接触部６５１を取り付けた状態のパネル６８０は、部分的にベース６６０とカバー６７０との間に挟まれる。詳細には、まず、一対のコイルスプリング６９０の一端が、それぞれ、ベース６６０の第１バネ座６６１に取り付けられる。この状態で、パネル６８０が、第３方向の他方側からベース６６０に重ねられる。この際、コイルスプリング６９０の他端は、パネル６８０の耳部６８３の第２バネ座６８３ｂに取り付けられる。また、パネル６８０の第１突起６８４は、ベース６６０の第４方向の一方側の切欠き６６２ａに収容される。また、パネル６８０の一対の第２突起６８５は、間に第４方向の他方側の端壁６６２を挟んだ状態で、当該端壁６６２の第１方向の両側に配置される。パネル６８０の第３突起６８６は、ベース６６０の第４方向の他方側の切欠き６６２ａに収容される。
【００９７】
図１２および図１３に示すように、パネル６８０を重ねた状態のベース６６０に、さらに、第３方向の他方側からカバー６７０が重ね合わされる。この際、パネル６８０の第１突起６８４は、カバー６７０の第１切欠き６７４ａに収容される。パネル６８０の一対の第２突起６８５は、カバー６７０の第２切欠き６７４ｃに収容される。パネル６８０の第３突起６８６は、カバー６７０の切欠き６７４ｂに収容される。パネル６８０の一対の耳部６８３は、カバー６７０の一対の第３切欠き６７３ａに収容される。この状態で、ネジ６９８の軸部が第３方向の他方側からカバー６７０の貫通孔６７５に挿入されるとともに、ネジ６９８の軸部がベース６６０のネジ孔６６４にねじ込まれる。これにより、間にコイルスプリング６９０およびパネル６８０を挟んだ状態で、カバー６７０がベース６６０に対して固定される。
【００９８】
＜１−７．コネクタの動き＞
以下では、上述のように組付けられた状態の本体側コネクタ６５の動きについて、図１４から図１８を参照して説明する。図１４は、本体側コネクタ６５を第３方向の他方側からから見た図である。図１５は、本体側コネクタ６５を第４方向の一方側から見た図である。図１６は、本体側コネクタ６５を第４方向の他方側から見た図である。図１７は、本体側コネクタ６５を第１方向の他方側から見た図である。図１８は、ソケット１６２がホルダ６５２の一部に接触する様子を示す図である。
【００９９】
本体側コネクタ６５において、コイルスプリング６９０は、ベース６６０とパネル６８０との間で、自然長よりも圧縮された状態に保たれる。よって、本体側電気的接触部６５１は、第３方向の他方側に常に押圧されている。しかしながら、第１突起６８４が切欠き６６２ａおよび第１切欠き６７４ａに取り囲まれた範囲内でしか移動しないこと、並びに、第２突起６８５が第２切欠き６７４ｃに取り囲まれた範囲内でしか移動しないことにより、本体側電気的接触部６５１は、ドロワ側電気的接触部１６１と非接触の状態において、第３方向の位置が一定の位置とされる。
【０１００】
ただし、コイルスプリング６９０は、第３方向の一方側に縮む余裕代がある状態に保持される。このため、図１８に示すように、本体側コネクタ６５に、パネル６８０（箱体６８１）がソケット１６２に接触すること等に起因して外力が加わると、コイルスプリング６９０が変形することに伴って、本体側電気的接触部６５１の位置が、第３方向、および第３方向に垂直な方向に、変位可能である。すなわち、本体側電気的接触部６５１は、ホルダ６５２の一部（ベース６６０およびカバー６７０）に対して、フロートする。
【０１０１】
また、図１５に示すように、本体側コネクタ６５において、第１突起６８４の外表面と、第１切欠き６７４ａの内面と、の間には、第１方向に間隙が設けられている。また、図１６に示すように、第２突起６８５の外表面と、第２切欠き６７４ｅの内面と、の間には、第１方向に間隙が設けられている。よって、本体側コネクタ６５に、パネル６８０（箱体６８１）がソケット１６２に接触すること等に起因して外力が加わったとしても、第１突起６８４が第１切欠き６７４ａ内でしか移動しないこと、および、第２突起６８５が第２切欠き６７４ｅ内でしか移動しないことにより、本体側電気的接触部６５１の第１方向の移動範囲が規制される。
【０１０２】
また、図１４に示すように、本体側コネクタ６５において、第４方向に対向する突起６７１ｃ同士の離間距離Ｌ２は、パネル６８０の第４方向に対向する側壁６８１ｃの外表面同士の間の距離Ｌ１よりも、大きい（Ｌ１＜Ｌ２）。別の言い方をすれば、パネル６８０の箱体６８１の外表面と、突起６７１ｃの内縁面と、の間には、第４方向に間隙が設けられている。よって、本体側コネクタ６５に、パネル６８０がソケット１６２に接触すること等に起因して外力が加わったとしても、パネル６８０の側壁６８１ｃの外表面が、第４方向に対向する突起６７１ｃのいずれかに接触する位置までしか移動しないことにより、本体側電気的接触部６５１の第４方向の移動範囲が規制される。
【０１０３】
さらに、図１７に示すように、耳部６８３は、第３切欠き６７３ａを通って第１方向に延びる。これにより、ベース６６０およびパネル６８０の、第１方向におけるより外側の位置にて、パネル６８０がコイルスプリング６９０により押圧される。その結果、本体側電気的接触部６５１の姿勢がより安定化する。
【０１０４】
さらに、本体側コネクタ６５において、ドロワ側電気的接触部１６１が本体側電気的接触部６５１に接触したときの衝撃等に起因して、コイルスプリング６９０が仮に上記の余裕代の全量分、縮んだとすると、ベース６６０の第１接触面６６３と、パネル６８０の箱体６８１の第２接触面６８１ｆとが、接触する。別の言い方をすれば、本体側コネクタ６５が底付きする。このように、本体側コネクタ６５を第３方向に弾性変位可能とすることで、コイルスプリング６９０等に過剰な負荷が掛かってしまうことを防止できる。
【０１０５】
＜２．まとめ＞
以上に示したように、本実施形態の画像形成装置１００は、ドロワ１０と、画像形成装置本体６０とを備える。ドロワ１０は、感光体ドラム１１と、フレーム１２と、ドラムメモリ１３およびトナーメモリ１５と、ドロワ側コネクタ１６とを有する。ドロワ側コネクタ１６は、フレーム１２の第２方向における一方側の外表面に位置する。ドロワ側コネクタ１６は、ドロワ側電気的接触部１６１と、ソケット１６２とをもつ。画像形成装置本体６０は、筐体６１と、制御部６４と、本体側コネクタ６５とを有する。本体側コネクタ６５は、本体側電気的接触部６５１と、ホルダ６５２とを有する。ホルダ６５２は、ベース６６０と、カバー６７０と、パネル６８０と、コイルスプリング（弾性部材）６９０とを有する。筐体６１は、ドロワ１０を筐体６１に対して挿入方向に移動して収納可能な内部空間６１０を含む。本体側電気的接触部６５１は、ドロワ１０が筐体６１に挿入された際に、ドロワ側電気的接触部１６１と接触する。パネル６８０には、本体側電気的接触部６５１が固定される。コイルスプリング２９０は、ベース６６０とパネル６８０との間に介在する。ホルダ６５２は、本体側電気的接触部６５１を、前記コイルスプリングの伸縮方向に交差する交差方向に移動可能に保持する。画像形成装置１００において、ホルダ６５２がドロワ側コネクタ１６のソケット１６２に接触した場合に、パネル６８０が本体側電気的接触部６５１とともにベース６６０に対して交差方向に移動する。その結果、本体側電気的接触部６５１とドロワ側電気的接触部１６１とが容易に接触する。詳細には、本体側のホルダ６５２の一部がドロワ側コネクタ１６のソケット１６２に接触し始めた後に、仮にドロワ側電気的接触部１６１と本体側電気的接触部６５１との位置関係に誤差があったとしても、挿入される際に掛かる外力を利用して本体側電気的接触部６５１がパネル６８０とともにベース６６０に対して交差方向に移動する。これにより、本体側電気的接触部６５１がドロワ側コネクタ１６のソケット１６２内にガイドされて、ドロワ側コネクタ１６と本体側コネクタ６５とを容易に接続することができる。
【０１０６】
また、本実施形態の画像形成装置１００においては、ホルダ６５２は本体側電気的接触部６５１を第３方向に移動可能に保持する。これにより、ホルダ６５２がダンパとして機能し、電気的接触部６５１，１６１やそれを収容するホルダ（ソケット）６５２，１６２等に大きな負荷が掛かってしまうことを抑制できる。
【０１０７】
また、本実施形態の画像形成装置１００においては、ホルダ６５２は、本体側電気的接触部６５１を第３方向の一方側に押圧する。これにより、ホルダ６５２が第３方向に移動することで、本体側電気的接触部６５１およびそれを保持するホルダ６５２等に大きな負荷が掛かってしまうことを抑制できる。
【０１０８】
また、本実施形態の画像形成装置１００においては、ホルダ６５２は、コイルスプリング６９０を用いて本体側電気的接触部６５１を押圧する。これにより、コイルスプリング６９０の特性により、本体側電気的接触部６５１を第３方向に移動しやすく、かつ、交差方向にも移動しやすくすることができる。
【０１０９】
また、本実施形態の画像形成装置１００においては、コイルスプリング６９０は、本体側電気的接触部６５１を間に挟んで第１方向の一方側と他方側との２つの位置で本体側電気的接触部６５１を押圧する。これにより、コイルスプリング６９０が１つの場合よりも、本体側電気的接触部６５１の姿勢を安定させることができる。
【０１１０】
また、本実施形態の画像形成装置１００においては、ホルダ６５２は、ベース６６０、カバー６７０、およびパネル６８０を備える。ベース６６０は、第１接触面６６３と、第１バネ座６６１とを有する。パネル６８０は、貫通孔（取付部）６８２ｂと、第２接触面６８１ｆと、第２バネ座６８３ｂとを有する。画像形成装置１００において、ホルダ６５２は、ベース６６０およびカバー６７０に対するパネル６８０の移動範囲を規制する。これにより、本体側電気的接触部６５１を、第３方向と、第３方向に交差する方向とに、移動可能としつつ、本体側電気的接触部６５１の移動範囲を規制することができる。その結果、ドロワ側電気的接触部１６１と本体側電気的接触部６５１とをより容易に接近させて接続することができる。
【０１１１】
また、本実施形態の画像形成装置１００においては、カバー６７０は、一対の第１側壁６７３と、一対の第２側壁６７４とを備える。一対の第２側壁６７４のうちの一方は、第１切欠き６７４ａを有する。パネル６８０は、第１突起６８４を有する。画像形成装置１００においては、第１突起６８４が第１切欠き６７４ａに収容され、第１突起６８４の外周面と第１切欠き６７４ａの内面との間には、第１方向に間隙が設けられる。これにより、第１突起６８４が第１切欠き６７４ａ内でしか移動しないことにより、本体側電気的接触部６５１の第１方向の移動範囲を規制することができる。
【０１１２】
また、本実施形態の画像形成装置１００においては、一対の第２側壁６７４のうちの他方は、第２切欠き６７４ｃを有する。パネル６８０は、第２突起６８５を有する。第２突起６８５は第２切欠き６７４ｃに収容される。これにより、第１突起６８４が第１切欠き６７４ａ内でしか移動せず、かつ、第２突起６８５が第２切欠き６７４ｃ内でしか移動しないことにより、本体側電気的接触部６５１の第３方向への移動範囲を規制することができる。本体側電気的接触部６５１の第３方向への移動範囲の規制を、第１切欠き６７４ａの１箇所と、第２切欠き６７４ｃの２箇所との、合計３箇所とすることにより、本体側電気的接触部６５１（パネル６８０）に無理な負荷が掛かって動かなくなってしまうことを抑制できる。
【０１１３】
また、本実施形態の画像形成装置１００においては、第３方向にみたときに、第１切欠き６７４ａと２つの第２切欠き６７４ｃとが、二等辺三角形の頂点にそれぞれ配置される。これにより、本体側電気的接触部６５１（パネル６８０）に無理な荷重が掛かりに難くなり、より円滑な動きを実現することができる。
【０１１４】
また、本実施形態の画像形成装置１００においては、第１切欠き６７４ａは、第１方向における幅が、ベース６６０から第３方向に離れるに従って狭くなる。これにより、パネル６８０が押圧力に従ってベース６６０に対して第３方向に突出している間は、第１突起６８４は第１方向に比較的小さくしか移動できない一方、パネル６８０が押圧力に反して第３方向に凹んでいる（ベース６６０に接近している）間は、第１突起６８４は第１方向に比較的大きく移動できる。よって、本体側電気的接触部６５１とドロワ側電気的接触部１６１とが接触するときにだけ、第１突起６８４の第１方向への移動の許容範囲を広くすることができる。別の言い方をすれば、それ以外の場合には、本体側電気的接触部６５１を一定の位置に精度よく配置することができる。その結果、本体側コネクタ６５とドロワ側コネクタ１６との接続を、精度よく行うことができる。
【０１１５】
また、本実施形態の画像形成装置１００においては、カバー６７０は、平面６７１ｂと、突起６７１ｃとを備える。画像形成装置１００においては、本体側電気的接触部６５１およびパネル６８０が第４方向に移動することにより、突起６７１ｃのうちの一部が、パネル６８０の第４方向における外表面に接触可能である。これにより、パネル６８０が、突起６７１ｃに接触する位置までしか第４方向に移動しないことにより、本体側電気的接触部６５１の第４方向への移動範囲を規制することができる。
【０１１６】
さらに、本実施形態の画像形成装置１００においては、パネル６８０は耳部６８３を有する。耳部６８３は凹部６８３ａを有する。また、凹部６８３ａ内に第２バネ座６８３ｂが設けられる。これにより、耳部６８３の内部空間にコイルスプリング６９０を配置することができる。よって、ベース６６０およびパネル６８０の第１方向におけるより外側の位置にて、パネル６８０を押圧することができる。これにより、本体側電気的接触部６５１の姿勢を安定化することができる。
【０１１７】
さらに、本実施形態の画像形成装置１００においては、一対の第１側壁６７３は、第３切欠き６７３ａを有する。耳部６８３は、第３切欠き６７３ａを通って第１方向に延びる（図１７を参照）。これにより、ベース６６０およびパネル６８０の、第１方向におけるより外側の位置にて、パネル６８０を押圧することができる。これにより、本体側電気的接触部６５１の姿勢をより安定化することができる。
【０１１８】
以上に本発明の好適な実施形態について説明した。しかしながら、本発明はこれに限るものではなく、上述した実施形態に対して種々の変更を加えることが可能である。
【０１１９】
＜３．変形例＞
上記の実施形態では、各色の現像カートリッジ１４が、共通のドラムカートリッジとしてのドロワ１０に装着されていた。しかしながら、これに代えて、ドラムカートリッジと現像カートリッジとが対をなした状態で、各色のカートリッジの対（プロセスカートリッジ）が個別にドロワに装着されることにしてもよい。
【０１２０】
上記の実施形態では、本体側コネクタ６５が備える本体側電気的接触部６５１は、雌型コネクタ端子を有するものとした。しかしながら、これに代えて、本体側電気的接触部が雄型コネクタ端子を有することにしてもよい。その場合、ドロワ側コネクタが雌型コネクタ端子を有するものとすればよい。
【０１２１】
上記の実施形態では、ドロワ側電気的接触部１６１に複数の電気的接触面が配列され、本体側電気的接触部６５１にこれに対応する複数の電気接点が配列されているものとしたが、これに限定されない。上記に代えて、本体側電気的接触部６５１に複数の電気的接触面が配列され、ドロワ側電気的接触部１６１にこれに対応する複数の電気接点が配列されていてもよい。
【０１２２】
上記の実施形態の画像形成装置１００は、ドロワメモリとして、ドラムメモリ１３とトナーメモリ１５とを備えていたが、これに限定されない。上記に代えて、ドロワメモリがトナーメモリのみ、あるいはドラムメモリのみを有することにしてもよい。
【０１２３】
第３突起６８６、およびこれを収容する切欠き６７４ｂは、省略してもよい。
【０１２４】
上記の実施形態では、弾性部材はコイルスプリング６９０であるとしたが、これに限定されない。上記に代えて、弾性部材を、板バネや、スポンジや、ゴム材等としてもよい。
【０１２５】
本体側コネクタ６５に外力が掛かっていない状態において、第４方向に見たときに、第１突起６８４が、第１切欠き６７４ａの第１方向における中心位置に対してオフセットされて配置されていてもよい。
【０１２６】
本願明細書中において、「記憶」とは、単に情報を中継するだけの一時的な記憶を含んでいてもよい。
【０１２７】
また、画像形成装置の構成や、細部の形状については、本願発明の趣旨を逸脱しない範囲で、適宜に変更してもよい。また、上記の実施形態や変形例に登場した各要素を、矛盾が生じない範囲で、適宜に組み合わせてもよい。
【符号の説明】
【０１２８】
１０      ドロワ
１１      感光体ドラム
１２      フレーム
１３      ドラムメモリ
１５      トナーメモリ（ドロワメモリ）
１６      ドロワ側コネクタ
６０      画像形成装置本体
６１      筐体
６４      制御部
６５      本体側コネクタ
１００    画像形成装置
１６１    ドロワ側電気的接触部
１６２    ソケット
６１０    内部空間
６５１    本体側電気的接触部
６５２    ホルダ
６６０    ベース
６６１    第１バネ座
６６３    第１接触面
６７０    カバー
６７３    第１側壁
６７４    第２側壁
６７４ａ  第１切欠き
６７４ｃ  第２切欠き
６８０    パネル
６８１ｆ  第２接触面
６８２ｂ  貫通孔（取付部）
６８３ｂ  第２バネ座
６８４    第１突起
６８５    第２突起
６９０    コイルスプリング（弾性部材）
【図１】
2020134837.tif 000003
【図２】
2020134837.tif 000004
【図３】
2020134837.tif 000005
【図４】
2020134837.tif 000006
【図５】
2020134837.tif 000007
【図６】
2020134837.tif 000008
【図７】
2020134837.tif 000009
【図８】
2020134837.tif 000010
【図９】
2020134837.tif 000011
【図１０】
2020134837.tif 000012
【図１１】
2020134837.tif 000013
【図１２】
2020134837.tif 000014
【図１３】
2020134837.tif 000015
【図１４】
2020134837.tif 000016
【図１５】
2020134837.tif 000017
【図１６】
2020134837.tif 000018
【図１７】
2020134837.tif 000019
【図１８】
2020134837.tif 000020